(57)【要約】【課題】  隅棟部分の防水性を確保しつつ、施工しやすい換気棟構造体等を提供する。【解決手段】家屋５０の屋根５１の隅棟部分５２に設置される換気棟構造体１は、隅棟２１と隅棟２１からその端部を離間して設置される屋根下地２２との間に設置され、屋根下地２２ｂの厚みと略同一の高さを有する一対のスペーサー３０ｂと、スペーサー３０ｂの上方において、屋根下地２２ｂと屋根下地２２ｂの上方に設置される屋根材２３との間に設置される捨水切４１と、屋根材２３ｂ及び捨水切４１ｂの上方を覆うように設置される換気棟１１とを備え、スペーサー３０は、隅棟２１と屋根下地２２の端部との間から、捨水切４１ｂ（開口２６）に至るまでの通気路Ｐを形成する。このように構成すると、スペーサー３０ｂによって、捨水切４１ｂ及び屋根材２３ｂの位置調整が行われる構造となる。【選択図】  図３
2019049107.tif 000002
【特許請求の範囲】
【請求項１】
建物の屋根の隅棟部分に設置される換気棟構造体であって、
隅棟と前記隅棟からその端部を離間して設置される一対の屋根下地との間に設置され、前記屋根下地の厚みと略同一の高さを有する一対のスペーサーと、
前記一対のスペーサーの上方において、前記一対の屋根下地の各々と前記一対の屋根下地の各々の上方に設置される一対の屋根材の各々との間に設置される一対の捨水切と、
前記一対の屋根材及び前記一対の捨水切の各々の上方を覆うように設置される換気棟とを備え、
前記一対のスペーサーは、前記隅棟と前記一対の屋根下地の端部との間から、前記一対の捨水切に至るまでの通気路を形成する、換気棟構造体。
【請求項２】
前記一対のスペーサーは、それぞれ、１枚の鋼板を折り曲げて形成されるものであり、
側面視において、高さ方向に伸び、通気口が設けられる中央平板部と、
前記中央平板部の下端に接続され、前記高さ方向と直交し、前記屋根下地の設置方向に伸びる第１平板部と、
前記中央平板部の上端に接続され、前記高さ方向と直交し、前記屋根下地の設置方向に伸びる第２平板部とを備え、
前記第１平板部は、前記隅棟の上端に設置され、前記隅棟と前記一対の屋根下地の端部との間を塞がない範囲の長さに設定され、
前記第２平板部の上方に、前記捨水切が設置される、請求項１記載の換気棟構造体。
【請求項３】
前記第１平板部の長さは、前記第２平板部の長さよりも短く、
前記第２平板部の長さは、前記隅棟と前記一対の屋根下地の端部との間を覆って前記屋根下地の上方に至るまでの長さに設定される、請求項２記載の換気棟構造体。
【請求項４】
前記換気棟は、略山形形状に形成され、換気口が設けられる一対の傾斜部と、
前記一対の屋根材の各々と前記一対の傾斜部の各々との間に設置される一対の通気部材とを備え、
前記通気部材は、その水上方向端部が水上方向に凸形状に形成されると共に、その水下方向端部が水上方向に凹形状に形成される、請求項１から請求項３のいずれかに記載の換気棟構造体。
【請求項５】
建物の屋根の隅棟部分を構成する換気棟構造体であって、
隅棟と、
前記隅棟の両側面に接続される一対の垂木と、
前記隅棟からその端部同士を離間して前記一対の垂木の各々の上方に設置される一対の屋根下地と、
前記一対の屋根下地の各々の上方において、その端部同士の間に開口が形成された一対の屋根材と、
前記開口の上方を覆うように、前記一対の屋根材の上方に設置される換気棟と、
前記屋根材と前記屋根下地との間に設置され、前記開口から上方に向かって延びる一対の捨水切と、
前記隅棟と前記一対の屋根下地と前記一対の捨水切との間に形成され、前記開口に連通する通気路とを備える、換気棟構造体。
【請求項６】
建物の屋根の隅棟部分に設置される換気棟構造体に用いられるスペーサーであって、
１枚の鋼板を折り曲げて形成され、長手方向の側面視において略Ｊ字形状を有し、
前記略Ｊ字形状の中央部分を構成し、前記長手方向に所定間隔で通気口が設けられる中央平板部と、
前記中央平板部の一方端に接続され、前記中央平板部と直交し、一方方向に伸びる第１平板部と、
前記中央平板部の他方端に接続され、前記中央平板部と直交し、前記一方方向に延びる第２平板部とを備え、
換気棟構造体に用いられる際、前記第１平板部は、隅棟の上端に設置され、前記第２平板部の長さよりも短く、且つ、前記隅棟と前記隅棟からその端部を離間して設置される屋根下地との間を塞がない範囲の長さになるように設定され、
前記第２平板部は、前記隅棟と前記一対の屋根下地の端部との間を覆って前記屋根下地の上方に至るまでの長さになるように設定され、その上方には棟換気構造が形成される、スペーサー。
【発明の詳細な説明】
【技術分野】
【０００１】
この発明は換気棟構造体及び換気棟構造体に用いられるスペーサーに関し、特に、家屋の隅棟部分における小屋裏空間の自然換気を目的として隅棟の換気を行うための換気棟構造体及び換気棟構造体に用いられるスペーサーに関するものである。
【背景技術】
【０００２】
従来、家屋における小屋裏空間の自然換気を行うため、隅棟部分に設置される換気棟が存在する。
【０００３】
例えば、特許文献１では、隅棟部分の換気構造に関し、防水性を考慮し、隅棟に架設される換気棟と隅棟に沿ってその端部同士を通気スペースとして一定間隔を離して設置される一対の屋根材の各々との間に取り付けられる一対の水返しを備えるものが提案されている。
【先行技術文献】
【特許文献】
【０００４】
【特許文献１】特許第５８８７４５２号明細書
【発明の概要】
【発明が解決しようとする課題】
【０００５】
図８は、隅棟部分における屋根材の切断方法について説明する模式図である。尚、同図では、図示の簡略化のため、屋根材の重なり合いは省略して記載している。
【０００６】
同図を参照し、隅棟部分に設置する屋根材１２３は、隅棟材の設置ラインＬ１００に沿って、その一部１２４を斜めに切断して取り除くと共に、その水下方向（矢印Ｆ１００の方向）端部を隅切りする（即ち、同図の斜線部１２５を切除する）。屋根材１２３において、このような隅切りを施すことで、ラインＬ１００に沿って設けられる隅棟材に雨水が回り込むこと（即ち、矢印Ｄ１００方向に雨水が浸入すること）を防ぐ水切りとして機能する。
【０００７】
しかしながら、特許文献１の換気構造では、水返しが屋根材の端部を覆うような構成であるため、実際の施工現場では、隅切りを施すことが困難な場合があり、又、下地材を設置する等の手間も生じていた。一方で、上述のような隅切りがあれば特許文献１の水返しのような防水部材はなくても済むと言われていた。
【０００８】
この発明は、上記のような課題を解決するためになされたもので、隅棟部分の防水性を確保しつつ、施工しやすい換気棟構造体及び換気棟構造体に用いられるスペーサーを提供することを目的とする。
【課題を解決するための手段】
【０００９】
上記の目的を達成するために、請求項１記載の発明は、建物の屋根の隅棟部分に設置される換気棟構造体であって、隅棟と隅棟からその端部を離間して設置される一対の屋根下地との間に設置され、屋根下地の厚みと略同一の高さを有する一対のスペーサーと、一対のスペーサーの上方において、一対の屋根下地の各々と一対の屋根下地の各々の上方に設置される一対の屋根材の各々との間に設置される一対の捨水切と、一対の屋根材及び一対の捨水切の各々の上方を覆うように設置される換気棟とを備え、一対のスペーサーは、隅棟と一対の屋根下地の端部との間から、一対の捨水切に至るまでの通気路を形成するものである。
【００１０】
このように構成すると、スペーサーによって、捨水切及び屋根材の位置調整が行われる構造となる。
【００１１】
請求項２記載の発明は、請求項１記載の発明の構成において、一対のスペーサーは、それぞれ、１枚の鋼板を折り曲げて形成されるものであり、側面視において、高さ方向に伸び、通気口が設けられる中央平板部と、中央平板部の下端に接続され、高さ方向と直交し、屋根下地の設置方向に伸びる第１平板部と、中央平板部の上端に接続され、高さ方向と直交し、屋根下地の設置方向に伸びる第２平板部とを備え、第１平板部は、隅棟の上端に設置され、隅棟と一対の屋根下地の端部との間を塞がない範囲の長さに設定され、第２平板部の上方に、捨水切が設置されるものである。
【００１２】
このように構成すると、各部材が一体化し、又、位置決めしやすいスペーサーとなる。
【００１３】
請求項３記載の発明は、請求項２記載の発明の構成において、第１平板部の長さは、第２平板部の長さよりも短く、第２平板部の長さは、隅棟と一対の屋根下地の端部との間を覆って屋根下地の上方に至るまでの長さに設定されるものである。
【００１４】
このように構成すると、第２平板部が屋根下地と捨水切との間に挟みこまれる構造となる。
【００１５】
請求項４記載の発明は、請求項１から３のいずれかに記載の発明の構成において、換気棟は、略山形形状に形成され、換気口が設けられる一対の傾斜部と、一対の屋根材の各々と一対の傾斜部の各々との間に設置される一対の通気部材とを備え、通気部材は、その水上方向端部が水上方向に凸形状に形成されると共に、その水下方向端部が水上方向に凹形状に形成されるものである。
【００１６】
このように構成すると、水上から雨水が浸入しても換気棟の外方に向かう。
【００１７】
請求項５記載の発明は、建物の屋根の隅棟部分を構成する換気棟構造体であって、隅棟と、隅棟の両側面に接続される一対の垂木と、隅棟からその端部同士を離間して一対の垂木の各々の上方に設置される一対の屋根下地と、一対の屋根下地の各々の上方において、その端部同士の間に開口が形成された一対の屋根材と、開口の上方を覆うように、一対の屋根材の上方に設置される換気棟と、屋根材と屋根下地との間に設置され、開口から上方に向かって延びる一対の捨水切と、隅棟と一対の屋根下地と一対の捨水切との間に形成され、開口に連通する通気路とを備えるものである。
【００１８】
このように構成すると、隅棟と屋根下地との間から開口にかけて通気路が形成される。
【００１９】
請求項６記載の発明は、建物の屋根の隅棟部分に設置される換気棟構造体に用いられるスペーサーであって、１枚の鋼板を折り曲げて形成され、長手方向の側面視において略Ｊ字形状を有し、略Ｊ字形状の中央部分を構成し、長手方向に所定間隔で通気口が設けられる中央平板部と、中央平板部の一方端に接続され、中央平板部と直交し、一方方向に伸びる第１平板部と、中央平板部の他方端に接続され、中央平板部と直交し、一方方向に延びる第２平板部とを備え、換気棟構造体に用いられる際、第１平板部は、隅棟の上端に設置され、第２平板部の長さよりも短く、且つ、隅棟と隅棟からその端部を離間して設置される屋根下地との間を塞がない範囲の長さになるように設定され、第２平板部は、隅棟と一対の屋根下地の端部との間を覆って屋根下地の上方に至るまでの長さになるように設定され、その上方には棟換気構造が形成されるものである。
【００２０】
このように構成すると、スペーサーによって、捨水切及び屋根材の位置調整が行われる構造となる。
【発明の効果】
【００２１】
以上説明したように、請求項１記載の発明は、スペーサーによって、捨水切及び屋根材の位置調整が行われる構造となるので、より簡素な構造となり、隅棟部分の防水性を確保しつつ、施工性が向上する。
【００２２】
請求項２記載の発明は、請求項１記載の発明の効果に加えて、各部材が一体化し、又、位置決めしやすいスペーサーとなるので、コスト的に有利であり、又、設置作業の効率が向上する。
【００２３】
請求項３記載の発明は、請求項２記載の発明の効果に加えて、第２平板部が屋根下地と捨水切との間に挟みこまれる構造となるので、スペーサーの設置が安定する。
【００２４】
請求項４記載の発明は、請求項１から３のいずれかに記載の発明の効果に加えて、水上から雨水が浸入しても換気棟の外方に向かうので、防水性能が向上する。
【００２５】
請求項５記載の発明は、隅棟と屋根下地との間から開口にかけて通気路が形成されるので、より簡素な構造により隅棟部分の防水性を確保しつつ、通気路が確保できる。
【００２６】
請求項６記載の発明は、スペーサーによって、捨水切及び屋根材の位置調整が行われる構造となるので、より簡素な構造となり、隅棟部分の防水性を確保しつつ、施工性が向上する。
【図面の簡単な説明】
【００２７】
【図１】この発明の第１の実施の形態による換気棟構造体を屋根の隅棟部分に備える家屋の外観形状を示す概略斜視図である。
【図２】図１で示したＩＩ−ＩＩラインの概略端面図である。
【図３】図２で示したＩＩＩ−ＩＩＩ部分の拡大図である。
【図４】図３に示したスペーサーの外観形状を示す斜視図である。
【図５】図２に示した換気棟を矢印Ｖ方向視したときの外観形状を示す底面図である。
【図６】図２で示した換気棟の取付工程を示した分解組立図である。
【図７】この発明の第２の実施の形態による弁体の拡大斜視図であり、図３に対応した図である。
【図８】隅棟部分における屋根材の切断方法について説明する模式図である。
【発明を実施するための形態】
【００２８】
図１は、この発明の第１の実施の形態による換気棟構造体を屋根の隅棟部分に備える家屋の外観形状を示す概略斜視図である。
【００２９】
同図を参照して、家屋５０の屋根５１は、寄棟造であり、換気棟構造体１は、換気棟１１を含み、家屋５０の屋根５１の隅棟部分５２に設置される。
【００３０】
次に、この隅棟部分５２における換気棟１１周辺の構造（換気構造）について説明する。
【００３１】
図２は、図１で示したＩＩ−ＩＩラインの概略端面図であり、図３は、図２で示したＩＩＩ−ＩＩＩ部分の拡大図である。
【００３２】
これらの図を参照して、屋根５１の隅棟部分５２は、隅棟２１と、隅棟２１の両側面に接続される一対の垂木２５ａ、２５ｂと、隅棟２１からその端部同士を離間して一対の垂木２５ａ、２５ｂの各々の上方に設置される一対の屋根下地２２ａ、２２ｂと、一対の屋根下地２２ａ、２２ｂの各々の上方において、その端部同士の間に開口２６が形成された一対の屋根材２３ａ、２３ｂとを備える。
【００３３】
屋根５１の隅棟部分５２に設置される換気棟構造体１は、隅棟２１と隅棟２１からその端部を離間して設置される一対の屋根下地２２ａ、２２ｂとの間に設置され、一対の屋根下地２２ａ、２２ｂの各々の厚みと略同一の高さを有する一対のスペーサー３０ａ、３０ｂと、一対のスペーサー３０ａ、３０ｂの上方において、一対の屋根下地２２ａ、２２ｂの各々と一対の屋根下地２２ａ、２２ｂの各々の上方に設置される一対の屋根材２３ａ、２３ｂの各々との間に設置される一対の捨水切４１ａ、４１ｂと、一対の屋根材２３ａ、２３ｂ及び一対の捨水切４１ａ、４１ｂの各々の上方を覆うように設置される換気棟１１とを備える。
【００３４】
換気棟１１は、略山形形状に形成され、換気口１３ａ、１３ｂが設けられる一対の傾斜部１２ａ、１２ｂと、一対の屋根材２３ａ、２３ｂの各々と一対の傾斜部１２ａ、１２ｂの各々との間に設置される一対の通気部材１４ａ、１４ｂとを備える。
【００３５】
特に図３を参照して、スペーサー３０ｂは、隅棟２１と屋根下地２２ｂの端部との間から、捨水切４１ｂに至るまでの通気路Ｐを形成する。通気路Ｐは、隅棟２１と屋根下地２２ｂと捨水切４１ｂとの間に形成され、開口２６に連通している。尚、スペーサー３０ａについても、同様に、隅棟２１と屋根下地２２ａの端部との間から、捨水切４１ａに至るまでの通気路を形成している。以下では、スペーサー３０ｂについて具体的な構成を説明するが、スペーサー３０ａについても同様であるので、その説明は繰り返さない。
【００３６】
図４は、図３に示したスペーサーの外観形状を示す斜視図である。
【００３７】
同図及び図３も併せて参照し、スペーサー３０ｂは、１枚の鋼板を折り曲げて形成されるものであり、側面視（矢印Ｄ１方向視）において略Ｊ字形状を有している。即ち、スペーサー３０ｂは、高さ方向（矢印Ｚ方向）に伸び、長手方向（矢印Ｙ方向）に所定間隔で通気口３２が設けられる中央平板部３１と、中央平板部３１の下端に接続され、高さ方向と直交し、屋根下地２２ｂの設置方向（矢印Ｘ方向）に伸びる第１平板部３３と、中央平板部３１の上端に接続され、高さ方向と直交し、屋根下地２２ｂの設置方向に伸びる第２平板部３４とを備える。
【００３８】
中央平板部３１において、通気口３２は、第２平板部３４側寄りに形成されている。
【００３９】
第１平板部３３は、隅棟２１の上端に設置され、隅棟２１との屋根下地２２ｂの端部との間を塞がない範囲の長さになるように設定される。更に言えば、第１平板部３３の長さＷ２１は、第２平板部３４の長さＷ２２よりも短く設定されている。
【００４０】
又、第２平板部３４の上方に、捨水切４１ｂが設置される位置関係となっており、第２平板部３４の長さは、隅棟２１と屋根下地２２ｂの端部との間を覆って屋根下地２２ｂの上方に至るまでの長さになるように設定されている。
【００４１】
以上のように換気棟構造体に用いられるスペーサーは、１枚の鋼板を折り曲げて形成され、長手方向の側面視において略Ｊ字形状を有している。又、スペーサーは、略Ｊ字形状の中央部分を構成し、長手方向に所定間隔で通気口が設けられる中央平板部と、中央平板部の一方端に接続され、中央平板部と直交し、一方方向に伸びる第１平板部と、中央平板部の他方端に接続され、中央平板部と直交し、一方方向に延びる第２平板部とを備える構成である。
【００４２】
第１平板部は、換気棟構造体に用いられる際、隅棟の上端に設置され、第２平板部の長さよりも短く、且つ、隅棟と隅棟からその端部を離間して設置される屋根下地との間を塞がない範囲の長さになるように設定されている。
【００４３】
第２平板部は、換気棟構造体に用いられる際、隅棟と一対の屋根下地の端部との間を覆って屋根下地の上方に至るまでの長さに設定され、その上方には棟換気構造が形成される。
【００４４】
このように構成すると、スペーサーによって、捨水切や屋根材の位置調整が行われる構造となる。又、スペーサーの各部材が一体化し、又、位置決めしやすいスペーサーとなるため、コスト的に有利であり、又、設置作業の効率が向上する。又、第２平板部が屋根下地と捨水切との間に挟みこまれる構造となるため、スペーサーの設置が安定する。
【００４５】
以下、換気棟１１について詳しく説明する
図５は、図２に示した換気棟を矢印Ｖ方向視したときの外観形状を示す底面図である。
【００４６】
同図及び図２も参照して、通気部材１４ａ、１４ｂは、その水上方向（矢印Ｆ１方向）端部１６が水上方向に凸形状に形成されると共に、その水下方向（矢印Ｆ２方向）端部１７が水上方向に凹形状に形成される。
【００４７】
このように構成すると、水上から雨水が浸入しても換気棟１１の外方（即ち、隅棟から離れる方向）に向かうため、防水性能が向上する。
【００４８】
図６は、図２で示した換気棟の取付工程を示した分解組立図である。
【００４９】
同図を参照して、隅棟２１の両側面に接続される一対の垂木２５ａ、２５ｂの各々の上方において、一対の屋根下地２２ａ、２２ｂの各々の頂部を開口し、隅棟２１からその端部同士が離間した状態で一対の垂木２５ａ、２５ｂの各々の上方に設置する。例えば、枠組壁工法において３．５寸勾配（隅棟勾配２．４７４）の場合、一対の屋根下地２２ａ、２２ｂを、それぞれ、隅棟２１の頂点より５５ｍｍの位置で切断することで、隅棟２１からその端部まで１５ｍｍの開口を設けることが好ましい。
【００５０】
次に、一対のスペーサー３０ａ、３０ｂを、その通気口同士を対向させた状態で、隅棟２１の頂点よりも、それぞれ、１０ｍｍ離間させて隅棟２１及び一対の屋根下地２２ａ、２２ｂに対し矢印Ａ１方向に降下させる。即ち、一対のスペーサー３０ａ、３０ｂは、スペーサー３０ａの中央平板部３１ａの下端とスペーサー３０ｂの中央平板部３１ｂの下端とが水平方向において２０ｍｍ離間した状態で設置される。
【００５１】
次に、一対の屋根下地２２ａ、２２ｂ及び一対のスペーサー３０ａ、３０ｂの上面にルーフィング（不図示）を張設し、張設したルーフィングにおいて一対のスペーサー３０ａ、３０ｂの間の空間を切り欠く。
【００５２】
次に、ルーフィングの切り欠き部分に合わせて、一対の捨水切４１ａ、４１ｂの間隔を調節し、ルーフィングが施され開口された一対のスペーサー３０ａ、３０ｂに対して矢印Ａ２方向に降下させて設置した後、所定の位置にシーリングを施す。
【００５３】
次に、一対の屋根材２３ａ、２３ｂを、その端部同士の間に開口が形成されるように離間した状態で、一対の捨水切４１ａ、４１ｂに対し矢印Ａ３方向に降下させて設置する。
【００５４】
次に、換気棟１１を、一対の屋根材２３ａ、２３ｂ及び一対の捨水切４１ａ、４１ｂの各々の上方を覆うように、即ち、一対の屋根材２３ａ、２３ｂの間の開口を覆うようにして矢印Ａ４方向に降下させて設置する。その後、所定の位置に固定釘を打ち込むことによって、換気棟１１は一対の屋根材２３ａ、２３ｂ及び一対の屋根下地２２ａ、２２ｂに固定される。
【００５５】
以上に説明したような取付工程によって得られる換気棟構造体１によれば、スペーサーによって、捨水切及び屋根材の位置調整が行われる構造となる。
【００５６】
このため、より簡素な構造となり、隅棟部分の防水性を確保しつつ、施工性が向上する。又、隅棟と屋根下地との間から開口にかけて通気路が形成されるため、より簡素な構造により隅棟部分の防水性を確保しつつ、通気路が確保できる。
【００５７】
図７は、この発明の第２の実施の形態による弁体の拡大斜視図であり、図３に対応した図である。
【００５８】
尚、この実施の形態による換気棟構造体は、基本的に第１の実施の形態によるものと同一であるため、その相違点を中心に説明する。
【００５９】
同図を参照して、この実施の形態による換気棟構造体では、第１の実施の形態によるものからスペーサー及び捨水切の形状を変更している。
【００６０】
より具体的には、スペーサー３６は、中央平板部３１の下端を隅棟２１の頂点に合わせて設置されており、中央平板部３１だけでなく第２平板部３４にかけて通気口３２が形成されている。
【００６１】
このように、スペーサー３６の中央平板部３１の下端を隅棟２１の頂点に合わせて設置するので、スペーサー３６の設置時の位置合わせが容易となる。
【００６２】
又、捨水切４２は、その下方端においてスペーサー３６側に折り返されて折返し部４３が形成されている。
【００６３】
このように折返し部４３を形成することで、捨水切４２の設置時において位置合わせが容易となる。
【００６４】
尚、上記の各実施の形態では、家屋の屋根が寄棟造であり、その隅棟のうちの１つに換気棟構造体が設置される構成であったが、寄棟屋根以外の家屋・建物における隅棟に取り付けてもよいし、全ての隅棟に取り付けてもよい。
【００６５】
又、上記の各実施の形態では、一対のスペーサーは同一の形状である２つのものを用いているが、屋根材その他の周辺構造に対応する等して互いに異なる形状であってもよい。
【００６６】
更に、上記の各実施の形態では、スペーサーの素材を鋼板としているが、水密材料であれば他の素材でもよい。
【００６７】
更に、上記の各実施の形態では、スペーサーは、その長手方向の側面視において略Ｊ字形状を有しているが、これに限られず、隅棟の上端で捨水切を支持し、隅棟と一対の屋根下地の端部との間から、一対の捨水切に至るまでの通気路を形成するものであればよい。例えば、第１平板部の長さは、第２平板部の長さよりも短くなくてもよく、同じであってもよいし、第１平板部の長さは、第２平板部の長さより長くてもよい。更に言えば、上述のような通気路が確保できればスペーサーを省略しても構わない。
【００６８】
更に、上記の各実施の形態では、捨水切が、特定の形状に形成されていたがこれには限られない。
【００６９】
更に、上記の各実施の形態では、換気棟は、略山形形状に形成される等、特定の形状であったが、これに限られない。
【００７０】
更に、上記の各実施の形態では、通気部材は、その水上方向端部が水上方向に凸形状に形成されると共に、その水下方向端部が水上方向に凹形状に形成されるものであったが、これに限られず、このような凸形状、凹形状は無くてもよい。通気部材は、特定の換気構造を備えるものであったが、これには限定されない。例えば、通気部材は、一方の側壁から他方の側壁へ貫通する通気孔が多数形成された樹脂製のものであってもよい。このような通気部材は、例えば、各々が凹凸断面形状を有する合成樹脂シートを複数積層した状態で切断加工時の熱融着によって相互に接合し一体化することにより形成することができる。
【００７１】
更に、上記の各実施の形態では、スペーサーの中央平板部において、通気口は、第２平板部側寄りに形成されていたが、これに限られない。スペーサーの中央平板部において、通気口は、第１平板部側寄りに形成されていてもよいし、中央部分に形成されていてもよく、又、高さ方向全域に亘って設けられていてもよい。又、通気口の形状にも特に限定はない。
【符号の説明】
【００７２】
１…換気棟構造体
１１…換気棟
１４…通気部材
２１…隅棟
２２ａ、２２ｂ…屋根下地
２３ａ、２３ｂ…屋根材
２５ａ、２５ｂ…垂木
３０、３６…スペーサー
３１…中央平板部
３２…通気口
３３…第１平板部
３４…第２平板部
４１、４２…捨水切
５２…隅棟部分
Ｐ…通気路
尚、各図中同一符号は同一又は相当部分を示す。
【図１】
2019049107.tif 000003
【図２】
2019049107.tif 000004
【図３】
2019049107.tif 000005
【図４】
2019049107.tif 000006
【図５】
2019049107.tif 000007
【図６】
2019049107.tif 000008
【図７】
2019049107.tif 000009
【図８】
2019049107.tif 000010